(57)【要約】【課題】ＣＤと称する円盤状の光学式情報記録媒体を廃棄する際に、その記録が外部に漏洩したり、不正使用されたりしないために、ＣＤに記録された情報を部分的に破壊して読み取りを実質的に不能にする装置に関するもので、電源を使用せず、異臭発生が無く、ＣＤに再生原料としての品質低下を与えず、小型で収納に便で、使用したいとき直ちに操作でき、力を要せず、軽量であり、また女性でも楽に扱える軽い押し圧で操作でき、なお従前の発明よりも、情報の消去の効果において劣らないものを得ることを課題とした。【解決手段】２つ刃をもつ抜き刃により、ＣＤの記録線に隣り合った２つの切り溝を、まず読み取り信号部より入れて、記録の欠落を作って読み取りを不能とし、さらに必要とあらば多くの２つの切り溝で記録線を切断し、同時に裏面に凸部を作って読み取り装置への装着を不能とした。【選択図】図３
2004062964.tif 000002
【特許請求の範囲】
【請求項１】
２つの向き合った刃を持つ打ち抜き刃と、この打ち抜き刃を上下させるプレス機構とを備え、ＣＤの板に全周の一部を残した状態で２つの向き合った穴が開くように下死点を定めたＣＤの穴開け装置において、ＣＤの中心穴が嵌まる位置が可動である凸部を設け、この凸部に中心穴をはめたＣＤの情報記録の線にほぼ直交する方向に、２つの切り溝が入る如く、２つの向き合った切り刃の方向の位置を定め、この打ち抜き刃からＣＤの中心穴が嵌まる凸部の最近距離を、ＣＤの中心穴をこの凸部にはめて打ち抜く時の穴の１つが、ＣＤの情報の記録線の最も内側の読み取り信号のある部分の帯を切断する如く定めたことを特徴とするＣＤの記録の読みだしを不能にする装置。
【請求項２】
固定台からコ字型に延長された固定部に上下に開けられた穴を持ち、これに入る打ち抜き刃が上下に直進して滑る機構とし、この打ち抜き刃に水平の軸穴を設けて押し圧レバーとの間をこの軸穴に通した軸により接続して押し圧レバーの位置を定め、さらに固定部から揺動する如くした腕を設けて、これを揺れる支点としてこれに取り付けた軸を押し圧レバーの支点とし、この押し圧レバーからの力の伝達を、この揺れる支点を支点として打ち抜き刃に押し圧を伝えることを特徴とする、請求項１に記載のＣＤの記録の読みだしを不能にする装置。
【請求項３】
ＣＤの中心穴が嵌まる凸部が、打ち抜き刃からＣＤの円のほぼ法線方向に離れる方向にバネの力に逆らって移動出来ることを特徴とする、請求項１に記載のＣＤの記録の読みだしを不能にする装置。
【請求項４】
ＣＤの中心穴が嵌まる凸部が、打ち抜き刃から離れる方向に移動する位置に支点を持って水平に旋回するレバーの上に、ＣＤの円のほぼ法線方向にＣＤが移動する如く取り付けられていることを特徴とする、請求項１に記載のＣＤの記録の読みだしを不能にする装置。
【請求項５】
ＣＤの中心穴が嵌まる凸部を回転可能としてピニオンをつけ、この凸部にＣＤをはめ込んで回転させると、この凸部が固定台部に取り付けられたラックにより打ち抜き刃からＣＤの円のほぼ法線方向に離れる如く移動することを特徴とする、請求項１に記載のＣＤの記録の読みだしを不能にする装置。
【請求項６】
ＣＤの中心穴が嵌まる凸部を回転可能としてこれの軸に巻き付けられて張った紐により、このＣＤの中心穴が嵌まる凸部にＣＤをはめ込んで回転させると、この凸部が固定台に取り付けられたＣＤの法線方向に掘られたスライド溝に沿って打ち抜き刃から離れる方向に移動することを特徴とする、請求項１に記載のＣＤの記録の読みだしを不能にする装置。
【請求項７】
ＣＤの中心穴が嵌まる凸部を回転可能として、この凸部にＣＤをはめ込んで回転させると、このＣＤが嵌まる凸部の軸が回転転がりで、ＣＤがスライド台に取り付けられたＣＤの法線方向に作られた溝に沿って打ち抜き刃から離れる方向に移動することを特徴とする、請求項１に記載のＣＤの記録の読みだしを不能にする装置。
【発明の詳細な説明】
【０００１】
【発明の属する技術分野】
本発明は、一般にＣＤと称する円盤状の光学式情報記録媒体（以下ＣＤという）を廃棄する際に、その記録が外部に漏洩したり、不正使用されたりしないために、ＣＤの面の全ての情報を消さず、情報記録膜の中に同心円に近い渦巻き状に生まれている情報記録の線が帯となっている記録線（以下記録線という）の最内側の、数ｍｍ幅の読み取り信号の情報の部分（以下読み取り信号部という）を、また必要だと思う場合は、さらに多くの記録線の帯を適宜に途中で続けて２カ所切ることで、記録された情報を部分的に破壊して読み取りを実質的に不能にする装置に関する。
【０００２】
さらに詳しく述べると、金属薄膜などの情報記録層を有した主に円盤状の光学式情報記録媒体に、全周の一部を残して穴を切り取らない向き合った２つの切り溝（以下２つの切り溝という）を、最内部に１カ所、或いは内側から外側に向かって、あるいは外側から内側に位置をずらしながら一列またははランダム位置あるいは放物線上にあけて、ゴミになる切片を出さずに記録線を切断して、さらに記録盤の面に凸部を作り、一般に市販されているＣＤドライブへの装着を不能とすることで、記録された情報の読み取りを事実上不能にする、情報記録媒体に記録された情報の、簡便な破壊の装置を提供しようとするものである。
【０００３】
これにより、通常の事務用の紙パンチャーの如く２つ以上の穴を開ける装置と同等に簡便にして、なお１つの穴を順に明けるためにより軽い力で操作でき、また記録線を近い位置で２カ所で切ることで、完全に記録を破壊された記録線の部分を持ち、ＣＤの情報が外部で読み取られる危険に対して、さらに安全性を大きくする技術を提供しようとしたものである。
【０００４】
【従来の技術】
本発明は、上記のような需要に答えるための、ＣＤの記録層を物理的に破壊して読み取りを不能にする装置に関するものであり、以下この種の破壊法に関して略述する。
【０００５】
通常、ＣＤには、アルミ等の金属薄膜（蒸着）や有機色素の上に銀または金の膜が形成されたものや、アモルファス合金などの情報記録膜を有したものがあり、その方式により、ＣＤ−ＲＯＭ、ＣＤ−Ｒ、ＣＤ−ＲＷ、ＤＶＤ−Ｒ、ＤＶＤ−ＲＷなどと称する。ここで言うＣＤとはこれら全てを含むものである。
【０００６】
ＣＤの情報記録膜にある記録線には情報を記録したピットと言う凹部と、ピットとピットの間のランドと呼ばれる平面があり、これが線状に連続している。ＣＤの内側から外側にむかってこの記録線が渦巻き状に有る。またこの記録線にそってグルーブと呼ばれるレーザーの案内溝が配置されているものもある。記録線のトラックピッチは、約１．６から０．７ミクロンである。
【０００７】
ＣＤは機械的に或いはレーザーで、情報記録層に凹凸をつけ或いはアモルファス化して、情報読み取りのレーザー光の反射率を変えて、デジタル信号を記録するものであり、この情報の記録された線が内側から外に向かって前述のように渦巻き状につながっている。この記録線は間隔が狭いがゆえに、実質は同心円状に見える。この記録線の全周が１枚のＣＤの記録容量となるが、この記録の容量が大きいこと、記録が容易であること、複写によって記録の質が下がらないことなどが評価されて、ますますその普及は進んでいる。さらにまた、音楽や画像等を記録した商品としての普及もめざましいものである。
【０００８】
ＣＤが持つこの優れた情報記録特性、特に複写で情報の質が落ちないという特性と、主にポリカーボネートである透明のプラスチック板によるためにＣＤが安価であるということは、皮肉にも逆に欠点になる場合がある。このことは別の新しいＣＤへ有用情報のみを複写して編集することを容易にしている。その結果編集後に不要になって廃棄するＣＤが次々に発生することになるが、その中には文字、音、図柄等の重要な情報が保存されたままであることになる。また記録された情報の一部を破壊しても、通常のＣＤドライブで記録された情報の呼び出しを不能にしても、ＣＤ内部にはまだ記録された情報が記録の形で残っているという問題が欠点として残るのである。
【０００９】
このように情報記録済みのＣＤが不要になる時のほか、或いは音楽や画像記録の入った商品としてのＣＤが返品された場合は、廃棄されて通常は材料回収業者に回される。これらの廃棄の前に行われる記録された情報の消去破壊は、従来は呼び出しが不能になるか、或いは情報の一部が読めなくなれば十分であるとされ、ＣＤの表面にナイフやヤスリで傷をつければ十分だと考えられていた。
【００１０】
しかし最近は、この種の消去の方法では、記録の読み出しを行える技術が生まれ、情報の安全管理及び商品の不法流出防止に対する関心が高まって、従来の方式では不十分とされるようになって来ている。
【００１１】
従来の破壊法は、透明なプラスチック板の表面に傷をつけて光の反射の異常を作ったり、また情報記録膜に傷をつけるのが一般であり、これにより一般に市販されているＣＤドライブでの読み取りは不能になる。しかしあえてその情報を読もうとする場合、表面に傷が入れられた場合は表面を磨き、また傷により欠落した情報部分が少ない場合は、残った所にある情報の解読が可能である。通常の処理では読めないながらも記録情報が残っているかぎり、その作業は非常に大変ではあるが、読み取ろうとすると読むことができるのである。
【００１２】
また２つに切断して捨てると言うことも行われるが、これはなかなか大変な作業であり、またその切断した相手との組み合わせが発見されると、傷つけと同じく復元可能になる。
【００１３】
この形状を残したままで消したつもりの情報を、回復する技術は、誤って情報を失った場合の情報回復技術として発達したが、同時に情報を盗む技術にも生かされたのである。しかしこの問題に着眼してこれの対策とした簡便な小型の装置は、未だ成功していない。
【００１４】
そこで最近において、この情報保護の問題に着眼した特開平１０−２１４４２４号公報、また特開平１０−１７２１４８号公報、などに開示されている技術が開発されている。
【００１５】
特開平１０−２１４４２４号公報に記載の技術は、凸部のある加熱ロールを摂氏８０〜１５０度に加熱して、加圧駆動ローラーとの間にＣＤを通して部分加熱とプレスを行い、情報記録膜を破壊しようとするものである。この装置によれば、情報記録層を破壊し情報の読み取りを不能にするが、作業に適する温度に加熱する昇温には時間がかかるため、処理者がやりたい時に簡便に破壊作業をするという使用目的には適さない側面がある。またＣＤポリカーボネート板の片面が情報記録膜でこの上に保護膜をコーティグしたＣＤと、透明樹脂でサンドイッチに成型したもので破壊の効果が異なり、また表から加熱した場合と、裏から加熱の場合とで、効果が異なってしまう。
【００１６】
またさらに特開平１０−１７２１４８号公報に記載の技術は、マイクロ波によりＣＤの情報記録面に亀裂を入れて記録線そのものを破壊しようとするものである。この装置は本発明者も実施して、その破壊の有効性がめざましことを確認している。ＣＤの記録膜の種類と記録の状況で破壊の状況に違いがあるものの、ＣＤの記録膜面の全面に無数の樹枝状態、あるいは阿弥陀くじ状態の亀裂が走り、記録を完全に破壊するのには最良の装置である。
【００１７】
しかしこの装置を試みて本発明者が気づいたことは、通電後のある一定時間後に亀裂が瞬時に走り、その後に異臭の発生と発火が起きることであり、また亀裂の発生するまでの秒単位の時間が、ＣＤの種類とＣＤの記録の状況により、大きく異なることであった。したがって時間とパワーを一定にした高周波の照射の場合、ＣＤ側の条件の差で、適切な処理であったり、発臭に至ったり、発火に至ったりするのである。
これは消去の処理には適切であるが、通常の事務室内での作業には問題があるとして、本発明者は、亀裂発生と同時に起きる発光現象を利用して、発光と同時に通電を停止するという、ＣＤごとに通電時間を変える技術を完成させている。
【００１８】
特願番号２００１−１１０８３３号の発明がそれであるが、装置が大きくなることと、電源を必要とすることから、もっと簡便で安価な装置を得ようとさらに研究を重ねて、特願番号２００１−１１２１０３号の如き発明も完成させている。
【００１９】
これは記録線の全周回をその一周の中において距離の近い２カ所で切断して変形させれば、距離の近い２ケ所内の情報が完全に復元出来なくなり、記録線の１周回において記録された情報には必ず長い欠落が生じ、これによれば、上記の３つの発明のごとく、記録された情報を全面にわたって完全に破壊してしまうものではないが、読み取りを不可能に限りなく近く困難にする。またＣＤの表面に凸部を作ることで、一般に市販されているＣＤドライブへの装着を不能にし、さらに読み取りの可能性を不能に近く困難にする。以上の如くして装置を完成させたものである。
【００２０】
しかしいずれの場合も、情報記録の破壊そのものには非常に有効であるが、その装置が小型簡便でなく、また本発明者が発明した、特願番号２００１−１１０８３３号の発明も情報破壊は完全であるものの、やはり小型と簡便性には劣るという問題が残る。
【００２１】
また特願番号２００１−１１２１０３号の発明においても、簡便性には勝れるものの、その押し圧に２０ｋｇを要し女性による作業には不向きであったし、また、不要になった情報記録済みのＣＤを、ＣＤの利用場所である事務所の内部で、簡便な装置で確実かつ安全に記録された情報の破壊処理をしたいという要求を満たすことが出来ていなかった。
【００２２】
本発明者は上記の問題に対して、それを解決すべく取り組んだ結果、記録線の内側の読み取り信号部の１周回中に、２つの切り溝を開けることをまず行い、なお作業者の必要に応じて、ＣＤの面上の記録線にさらに多くの２つの切り溝を開けて記録線を切ることを行い、またこの穴開けにより穴の全周を切断しないで、ゴミになる切片を出さず、さらに同時にＣＤの片面に凸部を作ることを考えるに至ってこの発明を完成させたものである。
【００２３】
【発明が解決しようとする課題】
ここにおいて本発明は、電源を使用せず、異臭発生の可能性が無く、加工後のＣＤに再生原料としての品質低下を与えず、小型で収納に便利で、使用したいとき直ちに操作でき、力を要せず、移動のために軽量であり、また女性でも楽に扱える軽い押し圧で操作でき、なお従前の発明よりも、情報の消去の効果において劣らないものを得ることを課題としたものである。
【００２４】
本発明は、特願番号２００１−１１２１０３号の発明の技術の一部から発展したものであるが、これの持つ欠点を克服して、さらに安価に、簡便に、小型に、取り扱いを便にして、さらに実用性を高め、有用な技術に高めたものである。
【００２５】
【課題を解決するための手段】
本発明は、その解決の手段としてＣＤの記録線を２つの向き合った刃を持つ打ち抜き刃（以下２つ刃抜き刃という）を下死点を設けて使用して、記録線にほぼ直交した切断線を同時に２本入れ、なお２つの切り溝により切断線の全周を切り落とさず、それにより一部の不切断部分を残してめくれ上がった凸部を作ることを行ったものである。
【００２６】
さらに詳しく述べると、渦巻き状に作られた記録線は実質同心円の帯であり、これに法線方向の切断線をいれることで、記録線は１周ごとに切られるから、連続した１・０の信号である情報記録はその組み合わせが解らなくなり、事実上読み取り困難になる。さらに１周の内の近い距離の２カ所で帯巾広く切られれば、そこの情報が完全に欠落するから、さらに読み取りは困難となる。
【００２７】
これのために２つ刃抜き刃を使用し、読み取り信号部の記録線を２つの切り溝で切断することを行う。またさらに記録線の切断と同時に凸部を作り、読み取り装置への装着を困難にすることを行う。このときのＣＤの位置決めのために、ＣＤの中心穴が嵌まる凸部（以下嵌まる凸部という）を固定台に備える（請求項１）。
【００２８】
なお読み取り信号部の記録線を２つの切り溝で切断するということは、記録線の１本ごとすべてを２カ所で切ることを要件とはしない。２つ刃抜き刃の方向、下死点の微妙な変化、刃の摩耗による切れ方の変化などにより、２つの切り溝の中心部は必ず読み取り信号部の記録線を２カ所で切っているが、周辺部は２カ所を切らないことも有り得る。しかしこれで目的は達成でき、また他に開けられた２つの切り溝による、記録線の切断と重なる相乗効果の有る場合は記録の破壊は完全に行われている。
【００２９】
この２つ刃抜き刃は下死点を決めた状況で、固定台よりコ字型に延長された固定部の中に、垂直に開けられた穴の中を上下に動けば良いが、１つの支点から円弧状に動く押し圧レバーに２つ刃抜き刃をつける場合がより簡便な方法としてある。
【００３０】
円筒形の刃の場合など垂直に動かす場合は、押し圧するレバーの支点を、固定台から出された揺動する腕と軸でつなぎ、この場合レバーの横方向の振れを２つ刃抜き刃の軸で定めつつ、２つ刃抜き刃の先端に力がかかる如くする。ＣＤへ切断の力をかけた時の下死点はストッパーによってもよいし、レバーが固定台に接触することによってもよい（請求項２）。
【００３１】
読み取り信号部の記録線を切断し、ここに凸部を作ることを行えば、ＣＤの読み取りは十分不能になる。その処理されたＣＤの状況は図６の如くなる。しかしさらに完全を期するために、読み取り信号部以外の記録線をも切断し、多くの凸部を作ることも、十分な安全策を取ったことになり好ましい。そのためには嵌まる凸部を、２つ刃抜き刃の刃と刃の中心線の方向とほぼ平行の方向にスライドする如くする。この場合ＣＤを回転させても良いし、ささなくてもよい。この装置によると、２つの切り溝は中心に近い位置から始まり、作業者の希望のように自由に穿たれることになる（請求項３）。これにより処理されたＣＤは図７あるいは図８の如くなる
【００３２】
複数の２つの切り溝を規則正しく穿ちたい場合は、２つ刃抜き刃から嵌まる凸部に一番近くあるべき位置と、一番遠くあるべき位置のほぼ中間の、この２つの位置を結ぶ線と直交する線上に支点を持った水平に旋回するレバーを設けて、その上に嵌まる凸部を取り付けることも有効である。この２つ刃抜き刃に一番近い位置にある時の嵌まる凸部にＣＤをはめ込んで、まず１回２つの切り溝を入れ、次にレバーを旋回させつつ２つの切り溝を入れて行けば、嵌まる凸部はＣＤのほぼ法線方向に移動し、２つの切り溝は放物線に乗った如く、記録線にほぼ直交した２つの切り溝で記録線を中心から切断して行く。（請求項４）
【００３３】
これによれば、切断線同士を重ねずに、全ての記録線を切ることもできる。２つの切り溝の間隔を近づければ、全ての記録線が１周で１カ所以上、巾広く切られるのである。レバーの移動量で切断線の入る位置が決まるが、操作者の自由にまかせても良いし、レバーにクリックストップ装置を取り付けて、止める位置を定めても良い。
【００３４】
レバーを使わずに同じく放物線状に切断線を入れる他の方ととして、嵌まる凸部の外径を、ＣＤときつく嵌まる寸法にするか、あるいは嵌まる凸部に尖った部分を作ってＣＤの中心穴が嵌まる凸部にきつく入るようにし、ＣＤを手で回転させるとき、嵌まる凸部も回転して、その回転をラックとピニオンによって２つ刃抜き刃から離れる方向に嵌まる凸部を移動させるとした装置も有効である。（請求項５）
【００３５】
嵌まる凸部の回転をラックとピニオンによらず、強く巻き付けて張った紐による装置もある。（請求項６）
【００３６】
嵌まる凸部の回転を軸にとりつけたロールから取る装置もある。（請求項７）
【００３７】
このように実施の装置は種々であるが、いずれも２つ刃抜き刃により２つの切り溝を記録線にいれて切断することで、本目的を達成する装置を生み出したものである。
【００３８】
この装置では、２つ刃抜き刃は１本であるので、約２〜４ｋｇの軽い上下圧力で穴を開けることが出来る。また最初の１回の押し圧動作により、必ず読み取り信号部をまず切断することを行うことを基本にして研究し、ここに至って、実用化に至ったものである。
【００３９】
この発明は、ＣＤに対して、２つ刃抜き刃により記録線を距離の近い２カ所で切断することと、少なくとも中心部に近い位置の読み取り信号部を切断することを基本としている。紙などの物品に穴を開けることは通常行われている行為であり、円柱状の穴開け刃については、特開平９−８５６８８や特開平１０−１０９２９９或いは特開平９−２２５８９８において、通常の方法として記載されているごとく公知であるが、本発明は基本的な部分においてその構成が異なるものである。
【００４０】
また多数の穴を直線上に並べてあける行為としては、特開平１０−１５８９９や特開２００１−２５９９９に、通常の方法として記載されているごとく公知であり、またさらに浅い切り込みを行う行為そのものも、特開平１０−８１００に記載されているごとく公知である。
【００４１】
本発明は、上記のような公知例とは全く異なるものであり、必要とされた問題に応えるために、１回に開ける穴を１つとし、１つの穴で記録線とほぼ直交する２つの切り溝が２つ刃抜き刃により入り、また必要な安全性に応じてこの２つの切り溝を増やし、切断と同時に透明盤の素材がめくれ上がり、読み取りのテーブルへの装着を不能にするものであり、また必要とあれば、情報線の１周毎の切断を完全に行うことも出来るものである。
【００４２】
【発明の実施の形態】
以下、本発明の実施の形態として、装置の実施例である図１から図５を使用して具体的に説明するが、本発明がこの実施例に限定されるものでないことはもとよりである。
【００４３】
図１は本発明の基本となる一つの実施形態であり、固定台１にＣＤの入る窪み２が作られている。窪みの上の張り出し部には２つ刃抜き刃４が上下に移動できる穴３が作られていて、２つ刃抜き刃４はこの中を上下に滑って移動する。固定台１には、揺動する支点となる腕（以下支点腕という）６を入れる凹部５と、支点腕を支える支点軸７があって、これが支点腕６を支えている。支点腕の一方につけられた支点軸８により、押し圧腕９が支えられ、この押し圧腕９に２つ刃抜き刃４の根元が軸１０で取り付けられ。押し圧腕９が横に振れる動きを固定しつつ、バネ１１により２つ刃抜き刃が上に上がった状態に保持される。
【００４４】
固定台１には２つ刃抜き刃４に合わせた受刃になる穴１２があり、ストッパー１３で押し圧腕９が必要な量下がった下死点が決まり、ＣＤの板の一部を残して切られて、２つの切り溝がＣＤに入れられる。
嵌まる凸部１４は溝１２の中で自由に動くが、バネ１５により、通常は２つ刃抜き刃に近い側にいるのである。嵌まる凸部１４は、バネ１５を支える固定軸１６に沿って移動する。
【００４５】
記録線を切る２つ刃抜き刃４の刃で切られる２つの切り溝の長さは２〜１０ｍｍを適当とする、これを短くすると、押し圧の力は弱くてよく、また形成される凸部が小さいのに対して、押す回数が多くなければならない。一方これが長ければ、必要な押し圧の力が強くなり、また形成される凸部が大きくなり、これにより押す回数が少なくなる。
【００４６】
まず第１回目の押し圧で読み取り信号部に２つの切り溝が入れられる。この状況を図６に示す。これで通常は記録線の読み取り信号部が、２つの切り溝で切られるため、記録消去には十分であるが、さらにＣＤを移動して図８の如く各所に、さらには図７や図９の如く、円弧の１周ごとに１カ所以上の２つの切り溝をいれれば消去はさらに完全となる。また多くの２つの切り溝をいれれば処理をしたとの安心感も大きいが、２つの切り溝が全ての記録線を１周ごとに切っていなくても実質上は、消去の効果は発揮している。
【００４７】
図６から図９はＣＤに２つの切り溝を入れた状況を示し、まず第１回目の押し圧で読み取り信号部に２つの切り溝が入れた状況は図６の如くであり、さらに任意に２つの切り溝を入れると図７または図８の如くになる。
【００４８】
２つ刃抜き刃の刃の形状は図１０及び図１１或いは図１２の如くさまざまであるが、いずれも２本の切り刃を持つ。図１２の如き形状の刃の場合は図５の押し圧機構に適する。
いずれの場合もＣＤの厚さ（１．２ｍｍ）の上面より下に刃の一部が下がらない位置にストッパー１３をつけて、穴の全周を切断しないよう配慮する。押し圧レバーの下死点がストッパーになるときはストッパー１３は不要である。下死点の有ることで、穴の全周が切断されず、ゴミになる切片の発生を防ぎつつ、ＣＤの片面に、向き合った２つの切り溝を持ち、なおもう一方の片面に凸部を形成することが出来る。
【００４９】
この２つの切り溝の形状は図１０及び図１１の刃の場合は図１５および図１６の如くなり、図１２の刃の場合は図１７及び図１８の如くなる。これらの図における記号２２は２つの切り溝で作られた切断部を、２３は凸部を、２４は不切断部を示す。
【００５０】
図２及び図３と図４の実施例では、ＣＤの中心穴が嵌まる凸部１４を取り付けたレバー１８を支点軸１７で回転すると、嵌まる凸部が打ち抜き刃から離れる方向に移動する。このようにして移動させつつ適時に押し圧して２つの切り溝を入れて行くのである。この装置でレバーのほぼ等しい回転角ごとに押し圧して２つの切り溝を入れると図９の如くになる。
この回転角を一定にするために回転レバーにクリックストップの機構を取り付けても良い。
ここで使用している記号は図１と同じであるので説明を省略する。
【００５１】
図３及び図４は図２の装置を斜めに俯瞰して、操作の状況を示したものである。１７はレバー１８の下に付けられた回転の支点軸を示す。この図３及び図４における１８は初めのレバー位置、１４はその時の嵌まる凸部、１９はその時に嵌めたＣＤである。１８ａはレバーを回転した状況を示し、１４ａはその時の嵌まる凸部の位置、１９ａはその時のＣＤの位置である。
【００５２】
操作の手順では初めのレバー位置から、回転させつつ押し圧して２つの切り溝を入れて行き、作業が終わるとＣＤを取り外すため、本来２つの切り溝の入れられた跡はレバー回転後の作業終了時には見ることが無いが、ここではその状況を示すために、作業終了の後にＣＤを外さずレバーを再び１８の位置にもどした時に見える２つの切り溝の状況を、切断部２２で示した。
【００５３】
このレバーにより嵌まる凸部を２つ刃抜き刃から離れる方向に移動させる方式の場合、２つの切り溝の非切断部の中心を結ぶ線は、常にＣＤの中心を向かないという現象が起きるため、常に記録線が２カ所で切られるという形にはならないが、図９に示すごとくその影響は微少であり問題とならない。
【００５４】
押し圧レバーを固定した支点を中心に円弧状に動かす機構とすると、さらに機構は簡便になる。図５はこれを実用化したものであるが、２つ刃抜き刃による２つの切り溝の形状が汚くなるという欠点は残る。しかし記録線の切断という目的には適うものである。この図５の機構における嵌まる凸部の移動機構は図１及び図２と変わらないが、図５では図１の移動機構で示した。
【００５５】
この図５の押し圧レバー方式の場合、押し圧レバー９の中に２つ刃抜き刃が穴２１に埋め込まれて通常の方法で固定され、支点１９を中心にして上下に動き、通常はバネ２０で上方に位置している。１３はストッパーである。図１２の形状の２つ刃抜き刃の場合は、特にこの方式に適する。
【００５６】
レバーを使わずに同じく放物線状に切断線を入れる装置として、嵌まる凸部の外径を、ＣＤときつく嵌まる寸法にするか、あるいは嵌まる凸部の外周に尖った部分を作ってＣＤの中心穴が嵌まる凸部にきつく入るようにし、ＣＤを手で回転させるとき、嵌まる凸部も回転し、その回転をラックとピニオンによって２つ刃抜き刃から離れる方向に、嵌まる凸部を移動させる装置のラックとピニオンの機構を図１３に示す。
【００５７】
また嵌まる凸部の回転を、強く巻き付けて張った紐による場合の機構を図１４に示す。
【００５８】
２つ刃抜き刃が円筒の場合の２つの切り溝の形状は図１５の如くなり、それを拡大して裏から見た凸部の形状は図１６の如くである。２２が切断線であり、２４が不切断部、２３がめくれ上がった凸部の形状を示す。
【００５９】
２つ刃抜き刃の形状が３角の場合の２つの切り溝の形状は図１７の如くでありそれを拡大して裏から見た凸部の形状は図１８の如くなる。記号の示す意味は同じである。
【００６０】
このほか梯型の２つ刃抜き刃、楕円の２つ刃抜き刃、菱形の２つ刃抜き刃など目的と需要者の選択に合わせて選ぶものである。
【００６１】
【発明の効果】
以上の如く本装置によれば、手動により１本の２つ刃抜き刃で記録線を切断するものであるから、その装置は小型軽量で収納に便であり、また電力を必要とせず、簡便に女性の軽い力でも取り扱える。また２つ刃抜き刃でＣＤの記録線を近い２カ所で切断することにより。記録線の中の情報の欠落部を長くすることができるため、情報の復元が困難になる。
【００６２】
さらに、まず読み取り信号部の部分を必ず破壊することができているため。情報の復元は基本的に困難であり、続いて作業者の必要に応じて記録線の他の部分も多数箇所切断することができるため、情報漏洩防止への安心感を高めることができる。
【００６３】
嵌まる凸部の移動により、読み取り信号部を初めとして２つの切り溝を入れることができ、また２つ刃抜き刃で押し圧することで裏面にめくれた凸部を作ることができる。これは読み取り装置への装着を困難にし、これも情報の復元を困難にすることに役立つ。
【００６４】
【図面の簡単な説明】
【図１】本発明にかかわるＣＤ破壊装置の一例の横断面図
【図２】本発明にかかわるＣＤ破壊装置の一例の横断面図
【図３】本発明にかかわるＣＤ破壊装置の一例の概観図
【図４】本発明にかかわるＣＤ破壊装置の同じ一例の概観図
【図５】本発明にかかわるＣＤ破壊装置の一例の横断面図
【図６】ＣＤの読み取り信号部に２つの切り溝処理をされた図
【図７】ＣＤに続けて直線上に２つの切り溝処理をされた図
【図８】ＣＤに任意に数箇所の２つの切り溝処理をされた図
【図９】ＣＤに放物線状に数箇所の２つの切り溝処理をされた図
【図１０】本発明の装置に使う２つ刃抜き刃の一例の概観図
【図１１】本発明の装置に使う２つ刃抜き刃の一例の断面図
【図１２】本発明の装置に使う２つ刃抜き刃の一例の概観図
【図１３】本発明の装置に使うラックピニオンの概観図
【図１４】本発明の装置に使う紐により回転させる構造の概観図
【図１５】ＣＤに入れられた２つの切り溝の形状の一例の図
【図１６】ＣＤに入れられた２つの切り溝の凸部の形状の一例の図
【図１７】ＣＤに入れられた２つの切り溝の形状の一例の図
【図１８】ＣＤに入れられた２つの切り溝の凸部の形状の一例の図
【符号の説明】
１　固定台
２　ＣＤの入る窪み
３　２つ刃抜き刃が上下に移動できる穴
４　　２つ刃抜き刃
５　　揺動する支点となる腕を入れる凹部
６　　支点腕
７　　支点軸
８　　支点軸
９　　押し圧腕
１０　軸
１１　バネ
１２　受刃になる穴
１３　ストッパー
１４　嵌まる凸部
１４ａ　移動した後の嵌まる凸部
１５　バネ
１６　バネを支える固定軸
１７　レバーを支点軸
１８　収納位置のレバー
１８ａ　移動したレバー
１９　嵌めた時のＣＤ
１９ａ　移動した後のＣＤ
２０　バネ
２１　２つ刃抜き刃を埋め込む穴
２２　切断部の形状
２３　めくれあがった凸部
２４　不切断部
【図１】
2004062964.tif 000003
【図２】
2004062964.tif 000004
【図３】
2004062964.tif 000005
【図４】
2004062964.tif 000006
【図５】
2004062964.tif 000007
【図６】
2004062964.tif 000008
【図７】
2004062964.tif 000009
【図８】
2004062964.tif 000010
【図９】
2004062964.tif 000011
【図１０】
2004062964.tif 000012
【図１１】
2004062964.tif 000013
【図１２】
2004062964.tif 000014
【図１３】
2004062964.tif 000015
【図１４】
2004062964.tif 000016
【図１５】
2004062964.tif 000017
【図１６】
2004062964.tif 000018
【図１７】
2004062964.tif 000019
【図１８】
2004062964.tif 000020